(57)【特許請求の範囲】
【請求項１】
複数の電子機器についてのユーザ設定を共通の表示器から実施可能にしているウィザード装置において、
各電子機器のユーザ設定に係る各ウィザードを単一のウィザードに統合した統合ウィザードを実行する統合ウィザード実行手段、
前記統合ウィザードを開始させるユーザ指示を繰り返し受付ける開始指示受付け手段、
前記統合ウィザードを開始させるユーザ指示を受付けると前記統合ウィザード実行手段を作動させる実行制御手段、
前記統合ウィザード実行手段の作動中、前記統合ウィザードを途中終了させるユーザ指示を受付ける途中終了指示受付け手段、及び
前記統合ウィザード実行手段の作動中、前記統合ウィザードを途中終了させるユーザ指示を受付けると前記統合ウィザード実行手段の作動を途中終了させる終了制御手段、
を備え、
前記実行制御手段は、前記統合ウィザードの途中終了後、前記統合ウィザードを開始させるユーザ指示を受付けると、該ユーザ指示を受付け時にユーザが使用していた電子機器に係るウィザードから前記統合ウィザードが再開するように、前記統合ウィザード実行手段を作動させることを特徴とするウィザード装置。
【請求項２】
前記統合ウィザードが統合しているウィザードには、カーナビゲーション装置のユーザ設定に係るウィザード、及びオーディオ機器のユーザ設定に係るウィザードが含まれていることを特徴とする請求項１記載のウィザード装置。
【請求項３】
複数の電子機器についてのユーザ設定を共通の表示器から実施可能にしているウィザード形式ユーザ設定方法において、
各電子機器のユーザ設定に係る各ウィザードを単一のウィザードに統合した統合ウィザードを実行する統合ウィザード実行ステップ、
前記統合ウィザードを開始させるユーザ指示を繰り返し受付け可能に受付ける開始指示受付けステップ、
前記統合ウィザードを開始させるユーザ指示を受付けると前記統合ウィザード実行ステップを実行する実行制御ステップ、
前記統合ウィザード実行ステップにおける前記統合ウィザードの実行中、前記統合ウィザードを途中終了させるユーザ指示を受付ける途中終了指示受付けステップ、及び
前記統合ウィザード実行ステップにおける前記統合ウィザードの実行中、前記統合ウィザードを途中終了させるユーザ指示を受付けると前記統合ウィザード実行ステップにおける前記統合ウィザードの実行を途中終了させる終了制御ステップ、
を備え、
前記実行制御ステップでは、前記統合ウィザードの途中終了後、前記統合ウィザードを開始させるユーザ指示を受付けると、該ユーザ指示を受付け時にユーザが使用していた電子機器に係るウィザードから前記統合ウィザードが再開するように、前記統合ウィザード実行ステップの実行を制御することを特徴とするウィザード形式ユーザ設定方法。
【発明の詳細な説明】
【技術分野】
【０００１】
本発明は、複数の電子機器についてのユーザ設定を共通の表示器から行うウィザード装置及びウィザード形式ユーザ設定方法に関する。
【背景技術】
【０００２】
特許文献１はナビゲーション装置において個人情報（例：年齢、性別、住所、「高速優先」入力、「時間優先」入力、・・・。特許文献１の図３参照）をナビゲーション装置の初期電源投入時に設定することを開示する（特許文献１の図２参照）。
【０００３】
特許文献１のナビゲーション装置では、個人情報は、初期電源投入時しか設定できない、また、初期電源投入時には、個人情報の内、一部のもののみの入力で済ませ、その後の別の時に、残りの部分を入力すること、あるいは、個人情報を一旦、初期設定した後、該個人情報を変更することには言及していない。
【０００４】
特許文献２は、カーオーディオ装置におけるチューナユニットのＡＭ放送の周波数間隔、イコライザアンプの有無の設定、アンテナダイバーシティーの有無の設定、・・・等（特許文献２の段落０００４参照）の初期設定について、該オーディオ装置への最初の電源投入時だけでなく、その後に、電源が投入されるつど、初期設定が行えるようにしている（特許文献２の図２の１０２→１１０→１２１Ｙ→１２２Ｙ→１２３→１１０→・・・）。
【０００５】
一方、ナビゲーション装置及びＡＶ装置（特にスピーカ）を搭載する自動車では、地図や推奨経路を表示するナビゲーション装置の表示器上で、ナビゲーション装置のユーザ設定だけでなく、ＡＶ装置のユーザ設定も、ウィザードにより行うようにしている。
【特許文献１】特開２００３−２３２６４７号公報
【特許文献２】特開平９−８３３９７号公報
【発明の開示】
【発明が解決しようとする課題】
【０００６】
ナビゲーション装置の表示器上で、ナビゲーション装置及びＡＶ装置のユーザ設定をウィザードにより行うようになっている従来のウィザード装置の問題点は次のとおりである。
【０００７】
（ａ）ナビゲーション装置のウィザードとＡＶ装置のウィザードとが別々に存在し、ユーザは、各ウィザードを１個ずつ起動させて、各ウィザードのユーザ設定においてそれぞれナビゲーション装置及びＡＶ装置のユーザ設定を行う必要があり、手間がかかる。
【０００８】
（ｂ）前述の各ウィザードは、ナビゲーション装置及びＡＶ装置の使用開始時に１回、実行されて、終了すると、２度と実行されず、ユーザは、ナビゲーション装置及びＡＶ装置の使用開始後、ウィザードを用いて、ユーザ設定し直すことができなかった。
【０００９】
（ｃ）前述の各ウィザードは、途中終了すると、その後、再実行が不可能であり、ユーザは、ウィザードの１回目の実行で一部のユーザ設定を行い、２回目以降の実行で残りのユーザ設定を行うというウィザードの使い方が困難となっている。
【００１０】
本発明の目的は、複数の電子機器についてのユーザ設定を共通の表示器から実施可能にしているウィザード装置及びウィザード形式ユーザ設定方法において、上述の問題点を克服することである。
【課題を解決するための手段】
【００１１】
本発明のウィザード装置は、複数の電子機器についてのユーザ設定を共通の表示器から実施可能にしている。該ウィザード装置は次の各手段を備えている。
各電子機器のユーザ設定に係る各ウィザードを単一のウィザードに統合した統合ウィザードを実行する統合ウィザード実行手段、
統合ウィザードを開始させるユーザ指示を受付ける開始指示受付け手段、及び
統合ウィザードを開始させるユーザ指示を受付けると統合ウィザード実行手段を作動させる実行制御手段。
【００１２】
本発明のウィザード形式ユーザ設定方法は、複数の電子機器についてのユーザ設定を共通の表示器から実施可能にしている。該ウィザード形式ユーザ設定方法は次のステップを備えている。
各電子機器のユーザ設定に係る各ウィザードを単一のウィザードに統合した統合ウィザードを開始させるユーザ指示を繰り返し受付け可能になっているステップ、及び
統合ウィザードを開始させるユーザ指示を受付けるごとに、統合ウィザードを実行するステップ。
【００１３】
本発明は、プログラムとしても実現可能である。本発明のプログラムは、本発明のウィザード装置の各手段としてコンピュータを機能させるものである。
【発明の効果】
【００１４】
本発明によれば、従来、各電子機器ごとにそのユーザ設定用に実行していた各ウィザードを単一の統合ウィザードによりまとめて実行できるので、ユーザによるユーザ設定作業を合理化することができる。
【発明を実施するための最良の形態】
【００１５】
図８は車載電子機器システム５０のハードウェア構成図である。車載電子機器システム５０は、車載電子機器として、カーナビゲーション装置、ＴＶチューナ５６、ラジオチューナ５７、及びプレーヤとしてのＣＤ／ＤＶＤドライブ５８を含んでいる。
【００１６】
カーナビゲーション装置の関連部位では、ＧＰＳモジュール５５は、ＧＰＳ衛星からの電波に基づき自車位置を検出する。ＶＩＣＳ（Vehicle Information and Communication System）モジュール５６は、ＦＭ多重放送等から道路渋滞情報を受信する。ハードディスク装置５４は、地図データベース５５を含むとともに、ＣＤ等からダビングした楽曲データ等を適宜書き込み及び読み出し自在になっている。
【００１７】
カーナビゲーション装置以外の電子機器部位では、ＴＶチューナ５６は、ＶＨＦやＵＨＦのテレビ放送電波に係るビデオ及びオーディオ信号を出力する。ラジオチューナ５７は、ＡＭやＦＭのラジオ放送電波に係るオーディオ信号を出力する。ＣＤ／ＤＶＤドライブ５８は、所定のＣＤ−ＲＯＭから地図データベース５５用のデータを読み取り自在になっているとともに、音楽ＣＤやＤＶＤ等から楽曲や映画の再生用データを読み取り可能になっている。
【００１８】
処理及び制御装置６０は、ＣＰＵを含み、ＧＰＳモジュール５５、ＶＩＣＳモジュール５６、ハードディスク装置５４、ＴＶチューナ５６、ラジオチューナ５７及びＣＤ／ＤＶＤドライブ５８からのデータ及び信号を受け取り、各種の処理を実行する。画像生成器６２は、処理及び制御装置６０から入力されるデータに基づき画像表示信号を生成して、モニタ６３に出力する。該モニタ６３はタッチパネルを装備し、タッチ位置検出器６４は、タッチパネル上のユーザタッチ位置を検出し、処理及び制御装置６０へ出力する。処理及び制御装置６０へのユーザ指示は、タッチパネル上の所定位置へのユーザタッチにより行われるほか、図示していないリモートコントローラを介しても行えるようになっている。
【００１９】
処理及び制御装置６０が搭載される自動車は、車室内の前後左右に４個のスピーカ６６ａ〜６６ｄを配備されている。Ｄ／Ａ変換器６５ａ〜６５ｄは、処理及び制御装置６０からデジタルオーディオ信号を受け、それをアナログオーディオ信号へ変換して、それぞれスピーカ６６ａ〜６６ｄへ出力する。この車載電子機器システム５０は、ＴＶチューナ５６やラジオチューナ５７からの音声をスピーカ６６ａ〜６６ｄから出力するようになっているとともに、楽曲ＣＤをＣＤ／ＤＶＤドライブ５８にセットして、該音楽ＣＤに記録されている楽曲を再生して、スピーカ６６ａ〜６６ｄから放音するようになっている。この車載電子機器システム５０は、また、映画ＤＶＤをＣＤ／ＤＶＤドライブ５８にセットして、該映画ＤＶＤに記録されている映画を再生して、モニタ６３に映像を表示し、かつスピーカ６６ａ〜６６ｄから放音するようになっている。
【００２０】
図１は車載電子機器用統合ウィザード１０のフローチャートである。該車載電子機器用統合ウィザード１０は車載電子機器システム５０に実装されている。車載電子機器用統合ウィザード１０は、各車載電子機器のユーザ設定ウィザードをまとめたにものとなっている。
【００２１】
図２はメニューセットの中のセットアップ画面部分を示している。セットアップ画面部分はモニタ６３に表示される。メニューセットには、セットアップ画面部分の他に、ナビメニュー画面部分、サウンド調整画面部分が含まれ、ユーザは、それらの画面部分を、「ナビメニュー」、「サウンド調整」及び「セットアップ」の各タグへのタッチ又はリモコンの所定キーの押下により、切り替えるようになっている。これら画面部分は、モニタ６３のタッチパネル内にポップアップ形式で表示される。「しまう」ボタンは、ポップアップ画面部分の右下隅に表示され、ユーザは、該ボタンにタッチすることによりポップアップ画面部分を閉じることができる。
【００２２】
メニューセットの呼び出しは、モニタ６３に配備されている所定のハードキー又はリモコンのキーを押下したり、タッチパネル上の所定のボタンにタッチしたりして、行うことができる。すなわち、ユーザは、図２の「起動ウィザード」のボタン付きのセットアップ画面部分を、車両の停止中でかつ車載電子機器システム５０の作動中において任意の時に呼び出すことができる。
【００２３】
以下、説明の便宜上、車載電子機器用統合ウィザード１０の実行中における各ユーザ操作は、タッチパネルへのタッチにより行うものとする。セットアップ画面部分は、図２に示されるように、「画面部分設定」及び「ナビ機能設定」等のボタンのほか、「起動ウィザード」のボタンを含んでいる。ユーザは、「起動ウィザード」のボタンにタッチすることにより、車載電子機器用統合ウィザード１０を起動させる。
【００２４】
車載電子機器用統合ウィザード１０は、ナビ関連設定のウィザードとオーディオ設定のウィザードとを含んでいる。さらに、ナビ関連設定は、Ｎａｖｉ１，Ｎａｖｉ２，Ｎａｖｉ３，Ｎａｖｉ４，・・・の複数の設定部分を含む。同様に、オーディオ設定には、Ａｕｄ１，Ａｕｄ２，Ａｕｄ３，Ａｕｄ４，・・・の複数の設定部分を含んでいる。該車載電子機器用統合ウィザード１０では、先に、ナビ関連設定が行われ、その後に、オーディオ設定が行われるようになっているが、順番は逆であってもよい。
【００２５】
車載電子機器用統合ウィザード１０において、Ｓ１１，Ｓ１３，・・・では、それぞれナビ関連設定Ｎａｖｉ１，Ｎａｖｉ２，Ｎａｖｉ３，・・・が実行される。Ｓ２１，Ｓ２３，・・・では、それぞれオーディオ設定Ａｕｄ１，Ａｕｄ２，Ａｕｄ３，・・・が実行される。
【００２６】
ナビ関連設定Ｎａｖｉ１，Ｎａｖｉ２はそれぞれ例えばナビゲーション装置の表示器の仰角の設定及び自宅位置の設定である。図３及び図４はそれぞれナビゲーション装置の表示器の仰角の設定及び自宅位置の設定に係るウィザード画面部分を示している。また、オーディオ設定Ａｕｄ１は例えば車種の設定である。前後左右の各スピーカ６６ａ〜６６ｄからのオーディオ出力が車種に基づき制御される。図５は車種の設定に係るウィザード画面部分を示している。
【００２７】
図３において、表示器の仰角は−１から＋５まで１の刻みで計７段階に設定できるようになっている。ユーザは、−１，０，１，・・・，５と記入されたボタンの内、所望の仰角に対応する１個のボタンにタッチして、仰角を設定する。設定した仰角ボタンは色が変化する。ユーザは、間違った仰角ボタンを選択してしまったと気付いたときには、正しい仰角ボタンにタッチし直すことにより、設定を変更することができる。「次へ」等のボタンの機能については図５の説明の後に述べる。
【００２８】
図４のウィザード画面部分には、「現在地」及び「探す」のボタンが表示される。ユーザが「現在地」のボタンにタッチした場合には、右半部に、現在地に所定のマークが付いた地図が表示される。現在地以外の地点を自宅として登録する場合には、「探す」のボタンにタッチし、推奨経路探索の目的地設定の場合とほぼ同一の探索方式で、自宅位置を含む地図を右半部に表示させ、マークが自宅位置になるようにする。
【００２９】
図５の画面部分には、車種としての「コンパクト」、「セダン」、「ワゴン」、「ミニバン」、「ＳＵＶ」、「ワンボックス」、「選択しない」のボタンが表示される。ユーザは、自車の車種に対応するボタン又は「選択しない」のボタンにタッチして、車種を設定する。
【００３０】
「Ｐｉｔ確認」、「前へ」、「次へ」及び「終了」のボタンは、車載電子機器用統合ウィザード１０の実行中の各ウィザード画面部分のすべてに表示される。ユーザは、各ウィザード画面部分において設定を終了し、次の項目設定を行うウィザード画面部分へ移る場合には、「次へ」のボタンにタッチする。ユーザは、前のウィザード画面部分へ戻って、該前のウィザード画面部分に係る設定を変更したい場合には、「前へ」のボタンにタッチする。さらに、ユーザは、今回のユーザ設定は現在の画面部分のタッチパネルまでとして、車載電子機器用統合ウィザード１０を途中終了したい場合には、「終了」のボタンにタッチする。
【００３１】
車載電子機器用統合ウィザード１０に係る各ユーザ設定画面部分が、全設定部分中、何番目の設定であるかの情報が、「前へ」のボタンと「次へ」のボタンとの間に表示される。この例では、車載電子機器用統合ウィザード１０における設定部分の総数は１１となっており、各設定部分に対応する画面部分はＮａｖｉ１，Ｎａｖｉ２，Ｎａｖｉ３，Ｎａｖｉ４，・・・Ａｕｄ１，Ａｕｄ２，Ａｕｄ３，Ａｕｄ４，・・・の順番に頁付けされている。
【００３２】
車載電子機器用統合ウィザード１０において、Ｓ１２，Ｓ１４，・・・，Ｓ２２，Ｓ２４・・・では、ユーザによる車載電子機器用統合ウィザード１０の終了アクションがなされたか否かを判定する。具体的には、各ウィザード画面部分において、ユーザが「終了」ボタンにタッチしたときには、Ｓ１２，Ｓ１４，・・・，Ｓ２２，Ｓ２４・・・における判定は「正」として、車載電子機器用統合ウィザード１０を終了する。また、ユーザが「次へ」ボタンにタッチしたときには、Ｓ１２，Ｓ１４，・・・，Ｓ２２，Ｓ２４・・・における判定は「否」として、次のステップへ進む。
【００３３】
図６及び図７はそれぞれナビメニュー画面部分及びサウンド調整画面部分を示している。ナビメニュー画面部分及びサウンド調整画面部分におけるユーザ設定は、従来技術のものと同一である。ナビメニュー画面部分及びサウンド調整画面部分共に、セットアップ画面部分と同様に、ユーザは任意の時に呼び出し可能になっている。
【００３４】
ナビメニュー画面部分では、ナビ設定、地図表示設定及び案内設定を個々に選択するようになっている。また、サウンド調整画面部分では、ポジション、イコライザー、ＣＳ  Ａｕｔｏｍｏｔｉｖｅ、バランス／フェダー、ソースレベル及び基本設定を個々に選択するようになっている。
【００３５】
図９はウィザード装置７０の機能ブロック図である。ウィザード装置７０は、複数の電子機器についてのユーザ設定を共通の表示器から実施可能にしている。
【００３６】
統合ウィザード実行手段７１は、各電子機器のユーザ設定に係る各ウィザードを単一のウィザードに統合した統合ウィザードを実行する。開始指示受付け手段７２は、統合ウィザードを開始させるユーザ指示を受付ける。実行制御手段７３は、統合ウィザードを開始させるユーザ指示を受付けると、統合ウィザード実行手段７１を作動させる。
【００３７】
ウィザード装置７０における統合ウィザードの一例は図２の「起動ウィザード」ボタンへのタッチにより実行される車載電子機器用統合ウィザード１０である。ウィザード装置７０における統合ウィザードが統合しているウィザードには、例えば、カーナビゲーション装置のユーザ設定に係るウィザード、及びＣＤ等のオーディオ機器のユーザ設定に係るウィザードが含まれている。統合ウィザードがユーザ設定にかかわっている電子機器は、車載用ウィザードに限定されない。家庭に配備される録画機、ホームＡＶシステム等の家庭用電子機器、さらには炊事や洗濯等の家事用電気機器も含むものとする。
【００３８】
表示器は、典型的には、図８のモニタ６３のようなタッチパネル式表示器であり、ユーザ指示はタッチパネルの所定部位へのタッチにより行われる。しかし、表示器は、タッチパネル式でなくてもよく、その場合、ユーザ指示は、例えば、表示器に付属するハードキーへの操作や、リモコンのキーへの操作により行われる。
【００３９】
ユーザは、統合ウィザードを使用することにより、多数のユーザ設定作業を、個々のウィザードを使用する場合に比して、合理化することができる。
【００４０】
開始指示受付け手段７２は、統合ウィザードを開始させるユーザ指示を繰り返し受付け可能にしている。これにより、ユーザは、ユーザ設定をまとめて一気に実施するほか、ユーザ設定を適宜変更したり、ユーザ設定を徐々に蓄積して行くこともできる。
【００４１】
途中終了指示受付け手段７７は、統合ウィザード実行手段７１の作動中、統合ウィザードを途中終了させるユーザ指示を受付ける。途中終了制御手段７８は、統合ウィザード実行手段７１の作動中、統合ウィザードを途中終了させるユーザ指示を受付けると、統合ウィザード実行手段７１の作動を途中終了させる。
【００４２】
統合ウィザードは、各ウィザードを個々に起動する手間を排除して、全体のユーザ設定作業を能率化する利点があるが、反面、統合ウィザードの全部を実行するユーザ作業時間は、該統合ウィザードが統合したウィザードの個数の増大に連れて、長くなる不利が生じる。しかし、ウィザード装置７０では、ユーザが統合ウィザードを繰り返し実行可能にしたことと、途中終了可能にしたこととにより、該不利を抑制することができる。
【００４３】
記憶手段８１は、統合ウィザードが途中終了した場合に、統合ウィザードにおける途中終了位置を記憶する。実行制御手段７３は、統合ウィザードの途中終了後、統合ウィザードを開始させるユーザ指示を受付けると、記憶した途中終了位置から統合ウィザードが再開するように、統合ウィザード実行手段７１を作動させる。
【００４４】
ユーザは、統合ウィザードにおけるユーザ設定を飛び飛びに済ませる場合がある。そのような場合には、記憶手段８１は、設定済みのユーザ設定又は未設定のユーザ設定のウィザード部分を記憶し、次の統合ウィザードの再開時では、未設定のユーザ設定のウィザード部分のみを順番に又は優先して実行するようにしてもよい。
【００４５】
図９では、記憶手段８１に記憶された途中終了位置は統合ウィザード実行手段７１が読み出すように、記載されているが、実行制御手段７３が統合ウィザード実行手段７１における統合ウィザードの再開位置を制御できるようにして、実行制御手段７３が、途中終了位置を記憶手段８１から読み出すようになっていてもよい。
【００４６】
実行制御手段７３は、統合ウィザードの途中終了後、統合ウィザードを開始させるユーザ指示を受付けると、該ユーザ指示を受付け時にユーザが使用していた電子機器に係るウィザードから統合ウィザードが再開するように、統合ウィザード実行手段７１を作動させるようにしてもよい。
【００４７】
具体的に説明すると、例えば、ユーザは、前回の統合ウィザードの実行では、オーディオ設定のウィザードを途中終了していて、現在、ＣＤプレーヤ等のオーディオ機器ではなく、カーナビゲーション装置を使用していたとする。この状態で、ユーザが、統合ウィザードを開始する指示を出すと、ウィザード装置７０は、前回はオーディオ設定のウィザードが途中終了であったもかかわらず、ナビ関連設定に係るウィザードから統合ウィザードを再開する。こうして、ユーザは、統合ウィザードにおいて自分の希望に沿った設定を速やかに開始することができる。
【００４８】
さらに、統合ウィザードの再開位置は、各電子機器における各ユーザ設定を単位とすることなく、統合ウィザードにおいて各電子機器に対応付けられているウィザードを単位としてもよい。すなわち、例えば、統合ウィザードの前回の実行では、図１のＮａｖｉ２までの設定項目を済ませて、そこで途中終了したとし、ユーザが次に統合ウィザードの実行指示を出した時は、Ｎａｖｉ３からではなく、Ａｕｄ１からとしたり、再び、Ｎａｖｉ１から再開するようになっていてもよい。
【００４９】
ユーザ指示を受付け時にユーザが使用していた電子機器に係るウィザードから統合ウィザードを再開させることと、統合ウィザードの再開位置を、統合ウィザードにおいて各電子機器に対応付けられているウィザードを単位とすることとの組み合わせでは、例えば、ユーザは、前回の統合ウィザードの実行では、ナビ関連設定に係るウィザードの中の或る設定項目まで設定を済ませ、そこで途中終了していて、現在、カーナビゲーション装置を使用していたとする。この状態で、ユーザが、統合ウィザードを開始する指示を出すと、ウィザード装置７０は、ナビ関連設定に係るウィザードにおいて該或る設定項目の次の設定項目から統合ウィザードを再開させてもよいが、その代わりに、ナビ関連設定に係るウィザードの最初の設定項目から再開させることもできる。
【００５０】
本発明の最良の形態としてのウィザード形式ユーザ設定方法は、複数の電子機器についてのユーザ設定を共通の表示器から実施可能にしている。そして、各電子機器のユーザ設定に係る各ウィザードを単一のウィザードに統合した統合ウィザードを開始させるユーザ指示を繰り返し受付け可能になっているステップと、統合ウィザードを開始させるユーザ指示を受付けるごとに、統合ウィザードを実行するステップとを備えている。
【００５１】
ウィザード形式ユーザ設定方法における電子機器の具体例はウィザード装置７０の場合と同様である。また、ウィザード形式ユーザ設定方法において、ウィザード装置７０と同様に、統合ウィザードの途中終了を可能にすることが好ましい。そして、途中終了時には、その途中終了位置を記憶し、その後の次の統合ウィザード実行時では、記憶した途中終了位置から統合ウィザードを再開することが有利である。
【００５２】
本発明を実施するための最良の形態としてのプログラムは、前述したウィザード装置７０の各手段としてコンピュータを機能させる。
【００５３】
本発明を装置、方法及びプログラムの最良の形態について説明したが、本発明は、これに限定されるものではなく、発明の要旨を逸脱しない範囲で最良の形態における各構成要素を変形して具体化できる。また、最良の形態に開示されている複数の構成要素の便宜な組み合わせにより、種々の発明を形成できる。例えば、最良の形態に示される全構成要素からいくつかの構成要素を削除してもよい。さらに、異なる最良の形態に係る構成要素同士を組み合わせることもできる。
【図面の簡単な説明】
【００５４】
【図１】車載電子機器用統合ウィザードのフローチャートである。
【図２】メニューセットの中のセットアップ画面部分を示す図である。
【図３】ナビゲーション装置の表示器の仰角の設定に係るウィザード画面部分を示す図である。
【図４】ナビゲーション装置の自宅位置設定に係るウィザード画面部分を示す図である。
【図５】車種の設定に係るウィザード画面部分を示す図である。
【図６】ナビメニュー画面部分を示す図である。
【図７】サウンド調整画面部分を示す図である。
【図８】車載電子機器システムのハードウェア構成図である。
【図９】ウィザード装置の機能ブロック図である。
【符号の説明】
【００５５】
１０：車載電子機器用統合ウィザード、７０：ウィザード装置、７１：統合ウィザード実行手段、７２：開始指示受付け手段、７３：実行制御手段、７７：途中終了指示受付け手段、７８：途中終了制御手段、８１：記憶手段。
【図１】
0004802741.tif 000002
【図２】
0004802741.tif 000003
【図３】
0004802741.tif 000004
【図４】
0004802741.tif 000005
【図５】
0004802741.tif 000006
【図６】
0004802741.tif 000007
【図７】
0004802741.tif 000008
【図８】
0004802741.tif 000009
【図９】
0004802741.tif 000010